(57)【要約】【課題】斜め方向のコントラスト比を向上させることの可能な表示装置およびそれを備えた電子機器を提供する。【解決手段】横電界駆動液晶モードにおいて、液晶表示パネルの上に、位相差フィルム、前方散乱フィルムおよび偏光板がこの順に積層された積層フィルムが設けられている。位相差フィルムは、光学的二軸性を有しており、黒表示の際の斜め方向の光漏れを低減する光学補償機能を有している。【選択図】図１
2012242678.tif 000002
【特許請求の範囲】
【請求項１】
液晶層と、
前記液晶層を介して入射してきた外光を反射する反射層と、
前記液晶層との関係で前記外光の入射する側に配置された位相差層および偏光板と
を備え、
前記位相差層は、光学的二軸性を有する
液晶装置。
【請求項２】
前記位相差層は、０以上１未満のＮｚ係数を有する
請求項１に記載の液晶装置。
【請求項３】
前記位相差層は、０以上０．５以下のＮｚ係数を有する
請求項２に記載の液晶装置。
【請求項４】
前記位相差層および前記液晶層は、広帯域のλ／４板として機能する
請求項１に記載の液晶装置。
【請求項５】
当該液晶装置は、前記液晶層および前記反射層を挟み込む第１基板および第２基板を備え、
前記第１基板は、前記液晶層との関係で前記外光の入射する側とは反対側に配置され、
前記第２基板は、前記液晶層との関係で前記外光の入射する側に配置され、
前記位相差層および前記偏光板は、前記第２基板との関係で前記外光の入射する側に配置されている
請求項１に記載の液晶装置。
【請求項６】
前記第１基板は、スイッチング素子と、前記スイッチング素子に接続された画素電極とを画素ごとに有し、さらに、各画素に共通して形成されると共に各画素電極と対向する位置に複数のスリットが形成された共通電極を有し、
前記画素電極および前記共通電極が共に、前記反射層として機能する
請求項５に記載の液晶装置。
【請求項７】
前記スイッチング素子は、端子電極を有し、
前記画素電極は、前記端子電極と同層に形成されている
請求項６に記載の液晶装置。
【請求項８】
液晶装置を表示部として備え、
前記液晶装置は、
液晶層と、
前記液晶層を介して入射してきた外光を反射する反射層と、
前記液晶層との関係で前記外光の入射する側に配置された位相差層および偏光板と
を有し、
前記位相差層は、光学的二軸性を有する
電子機器。
【発明の詳細な説明】
【技術分野】
【０００１】
本技術は、反射型、または反射表示部と透過表示部とを兼ね備えた半透過型の液晶装置およびそれを表示部として備えた電子機器に関する。
【背景技術】
【０００２】
液晶表示装置における位相差板（λ／４板）の構成方法として、λ／４板とλ／２板とを組み合わせることが知られている。また、このような液晶表示装置において、横電界駆動液晶モードのものが、広視野角および高コントラストを実現する液晶モードとして注目されている（例えば、非特許文献１，２）。例えば、横電界駆動液晶モードにおいて、液晶層上に位相差層（λ／２板）を設け、液晶層をλ／４とする方法が知られている。
【先行技術文献】
【特許文献】
【０００３】
【特許文献１】特開２００１−３３０８４４号公報
【特許文献２】特開２００８−５２１６１号公報
【発明の概要】
【発明が解決しようとする課題】
【０００４】
ところで、上で例示した方法では、黒表示の際に、正面方向の透過率が最も低くなるが、斜め方向に光漏れが生じ、斜め方向のコントラスト比があまり高くならないという問題があった。
【０００５】
本技術はかかる問題点に鑑みてなされたもので、その目的は、斜め方向のコントラスト比を向上させることの可能な表示装置およびそれを備えた電子機器を提供することにある。
【課題を解決するための手段】
【０００６】
本技術による液晶装置は、液晶層と、液晶層を介して入射してきた外光を反射する反射層と、液晶層との関係で外光の入射する側に配置された位相差層および偏光板とを備えている。上記の位相差層は、光学的二軸性を有している。本技術による電子機器は、上記の液晶装置を表示部として備えている。
【０００７】
本技術による液晶装置および電子機器では、液晶層との関係で外光の入射する側に配置された位相差層が、光学的二軸性を有している。これにより、黒表示の際に正面方向だけでなく斜め方向についても光漏れが少なくなる。
【０００８】
本技術において、位相差層は０以上０．５以下のＮｚ係数を有していることが好ましい。このようにした場合には、液晶装置の法線と４０度以下の角度で交差する方向において、黒表示の際の光漏れが少なくなる。また、本技術において、位相差層および液晶層は、広帯域のλ／４板として機能していることが好ましい。このようにした場合には、広帯域で黒表示の際の光漏れが少なくなる。
【０００９】
また、本技術において、液晶装置がＦＦＳ（Fringe Field Switching）モードとなっている場合には、画素電極が、スリットを有する共通電極の下に形成されるとともに、画素電極および共通電極が反射層として機能することが好ましい。このようにした場合には、白輝度が向上する。
【発明の効果】
【００１０】
本技術による液晶装置および電子機器によれば、黒表示の際に正面方向だけでなく斜め方向についても光漏れを位相差層による光学補償によって少なくなるようにしたので、斜め方向のコントラスト比を向上させることができる。
【００１１】
また、本技術において、位相差層に０以上０．５以下のＮｚ係数を持たせた場合には、液晶装置の法線と４０度以下の角度で交差する方向において、コントラスト比を２０以上にすることができる。また、本技術において、位相差層および液晶層が広帯域のλ／４板として機能している場合には、広帯域でコントラストを向上させることができる。また、本技術において、液晶装置をＦＦＳモードで構成した場合に、画素電極を、スリットを有する共通電極の下に形成するとともに、画素電極および共通電極を反射層として機能させるようにした場合には、コントラスト比をより一層向上させることができる。
【図面の簡単な説明】
【００１２】
【図１】本技術の一実施の形態に係る液晶装置の構成の一例を表す断面図である。
【図２】図１の表示装置の一部を拡大して表す平面図である。
【図３】図１の共通電極の構成の一例を表す平面図である。
【図４】位相差層として光学的一軸性を有するものを用いたときの視野角特性の一例を表す図である。
【図５】位相差層として光学的二軸性（Ｎｚ係数＝０）を有するものを用いたときの視野角特性の一例を表す図である。
【図６】位相差層として光学的二軸性（Ｎｚ係数＝０．５）を有するものを用いたときの視野角特性の一例を表す図である。
【図７】一適用例に係る電子機器の構成の一例を表す斜視図である。
【発明を実施するための形態】
【００１３】
以下、発明を実施するための形態について、図面を参照して詳細に説明する。なお、説明は以下の順序で行う。
１．実施の形態
Ｎｚ係数が０以上１未満の位相差層が用いられている例
２．変形例
３．適用例
上記実施の形態およびその変形例に係る液晶装置が電子機器の表示部として用          いられている例
【００１４】
＜１．実施の形態＞
図１は、本技術の一実施の形態に係る液晶装置１の断面構成の一例を表すものである。図２、図３は、図１の液晶装置１内のある画素の所定のレイヤーにおける平面的な構成の一例を表すものである。なお、図１は、液晶装置１のうち図２のＡ−Ａ矢視線の断面に対応するものである。図１〜図３は、模式的に表したものであり、実際の寸法や形状と同一であるとは限らない。
【００１５】
液晶装置１は、液晶表示パネル１０の上に積層フィルム３０を貼り合わせたものである。液晶装置１は、さらに、液晶表示パネル１０を駆動する駆動回路（図示せず）を備えている。液晶装置１において、積層フィルム３０の上面が映像表示面１Ａとなっており、液晶表示パネル１０の背後には、バックライトなどの光源は配置されていない。つまり、液晶表示パネル１０は、映像表示面１Ａ側から入射した外光Ｌ１を映像信号に応じて変調すると共に反射して画像光Ｌ２を生成し、映像表示面１Ａから出力する反射型の表示パネルである。
【００１６】
液晶表示パネル１０は、下側パネル基板１０Ａと上側パネル基板１０Ｂとで液晶層１０Ｃを挟み込んだ構成となっている。下側パネル基板１０Ａは、例えば、図１、図２に示したように、基板１１上に、２次元配置された複数のトランジスタ１２と、各トランジスタ１２に１つずつ接続された複数の画素電極１３とを有している。なお、基板１１は、本技術の「第１基板」の一具体例に相当する。液晶表示パネル１０は、２次元配置された複数の画素１０Ｄを有しており、画素１０Ｄごとに、トランジスタ１２および画素電極１３を有している。なお、画素１０Ｄは、本技術の「画素」の一具体例に相当する。トランジスタ１２は、本技術の「スイッチング素子」の一具体例に相当する。画素電極１３は、本技術の「画素電極」、「反射層」の一具体例に相当する。トランジスタ１２は、例えば、図２に示したように、行方向に延在するゲート線ＷＳＬと、列方向に延在するデータ線ＤＴＬとの交差部に対応して設けられている。画素電極１３は、例えば、図２に示したように、ゲート線ＷＳＬとデータ線ＤＴＬとで囲まれた領域のほぼ全体に形成されている。
【００１７】
トランジスタ１２は、例えば、電界効果型のＴＦＴ（Thin Film Transistor；薄膜トランジスタ）であり、チャネルを制御するゲートと、チャネル両端に設けられたソースおよびドレインとを含んで構成されている。トランジスタ１２は、例えば、図１に示したように、基板１１上に形成されたゲート電極２１と、基板１１およびゲート電極２１を含む表面に形成されたゲート絶縁膜２２とを有している。トランジスタ１２は、さらに、例えば、図１に示したように、ゲート絶縁膜２２の上面のうちゲート電極２１と対向する部位にチャネル２３を有し、チャネル２３と接するソース電極２４およびドレイン電極２５を有している。
【００１８】
画素電極１３は、ドレイン電極２５に接続されており、かつ、ドレイン電極２５と同層に形成されている。画素電極１３は表面に意図的な凹凸を有しておらず、画素電極１３の表面は平坦面となっている。さらに、画素電極１３は、金属材料（例えば、Ａｌ−Ｎｄ合金などの金属材料）によって構成されており、可視光を反射する反射層として機能することが好ましい。つまり、画素電極１３は、液晶層１０Ｃを介して入射してきた外光Ｌ１を反射する反射層として機能する。なお、図示しないが、画素電極１３は、ドレイン電極２５の形成されている層よりも上の層に形成されていてもよい。ただし、その場合には、画素電極１３とドレイン電極２５とを積層方向において互いに接続するコンタクトホールが必要となる。
【００１９】
下側パネル基板１０Ａは、さらに、例えば、図１に示したように、トランジスタ１２および画素電極１３を含む表面上に絶縁層１４を有しており、絶縁層１４の上面に共通電極１５および配向膜１６を有している。なお、共通電極１５は、本技術の「共通電極」、「反射層」の一具体例に相当する。
【００２０】
共通電極１５は、絶縁層１４を介して各画素電極１３と対向する位置に形成されており、絶縁層１４全体（具体的には、各画素電極１３によって形成される表示領域全体）に渡って面状に形成されている。従って、共通電極１５は、各画素電極１３に対して対向する共通電極として機能する。共通電極１５は、例えば、図３に示したように、各画素電極１３と対向する領域に、複数のスリット１５Ａを有している。なお、スリット１５Ａは、本技術の「スリット」の一具体例に相当する。各スリット１５Ａは、例えば、面内の一の方向（例えばゲート線ＷＳＬの延在方向と平行な方向）に延在する長方形状の開口である。なお、各スリット１５Ａの面内での延在方向は、上記以外の方向となっていてもよい。共通電極１５は表面に意図的な凹凸を有しておらず、共通電極１５の表面は平坦面となっている。さらに、共通電極１５は、金属材料（例えば、Ａｌ−Ｎｄ合金などの金属材料）によって構成されており、可視光を反射する反射層として機能することが好ましい。つまり、共通電極１５は、画素電極１３と共に、液晶層１０Ｃを介して入射してきた外光Ｌ１を反射する反射層として機能する。
【００２１】
配向膜１６は、液晶層１０Ｃに含まれる液晶分子を所定の方向に配向させるものであり、液晶層１０Ｃに直接接している。配向膜１６は、例えば、ポリイミドなどの高分子材料からなり、例えば、塗布したポリイミド等に対してラビング処理を施すことにより形成されたものである。
【００２２】
上側パネル基板１０Ｂは、例えば、図１に示したように、基板１７の液晶層１０Ｃ側の表面上に、フィルタ層１８、オーバーコート層１９および配向膜２０をこの順に有している。なお、基板１７は、本技術の「第２基板」の一具体例に相当する。フィルタ層１８は、画素電極１３と対向する位置にカラーフィルタ層１８Ａを有しており、それ以外の位置に遮光層１８Ｂを有している。カラーフィルタ層１８Ａは、液晶層１０Ｃを透過してきた光を、例えば、赤、緑および青の三原色にそれぞれ色分離したり、または、例えば、Ｒ、Ｇ、Ｂおよび白などの四色にそれぞれ色分離したりするためのカラーフィルタを、画素電極１３の配列と対応させて配列したものである。遮光層１８Ｂは、例えば、可視光を吸収する機能を有している。
【００２３】
配向膜２０は、配向膜１６と同様に、液晶層１０Ｃに含まれる液晶分子を所定の方向に配向させるものであり、液晶層１０Ｃに直接接している。配向膜２０は、例えば、ポリイミドなどの高分子材料からなり、例えば、塗布したポリイミド等に対してラビング処理を施すことにより形成されたものである。
【００２４】
液晶層１０Ｃは、例えば、ネマティック（Nematic）液晶からなる。液晶層１０Ｃは、駆動回路からの印加電圧により、外光Ｌ１を画素１０Ｄごとに透過または遮断する変調機能を有している。なお、液晶層１０Ｃは、当該液晶層１０Ｃの光透過レベルを変えることにより画素１０Ｄごとの階調を調整することが可能となっている。
【００２５】
積層フィルム３０は、例えば、図１に示したように、位相差フィルム３１、前方散乱フィルム３２および偏光板３３を液晶表示パネル１０側からこの順に積層して構成されたものである。なお、積層フィルム３０において、図１に未記載の何らかの層がさらに追加されてもよい。位相差フィルム３１は、本技術の「位相差層」の一具体例に相当する。偏光板３３は、本技術の「偏光板」の一具体例に相当する。
【００２６】
位相差フィルム３１は、視野角補償用の位相差フィルムとしての機能を有するものである。位相差フィルム３１は、光学的二軸性を有しており、０以上１未満のＮｚ係数を有しており、好ましくは０以上０．５以下のＮｚ係数を有している。ここで、Ｎｚ係数とは、位相差フィルム３１の面内の主屈折率をｎｘ，ｎｙ（ただしｎｘ≧ｎｙ）とし、厚さ方向の屈折率をｎｚとしたときに、（ｎｘ−ｎｚ）／（ｎｘ−ｎｙ）という式で求められる係数である。Ｎｚ係数が０以上０．５以下となっている場合には、後述する補償効果が特に高くなる。位相差フィルム３１は、例えば、高分子フィルムを二軸延伸することにより得られる。位相差フィルム３１は、単一のフィルムで構成されていることが好ましい。
【００２７】
位相差フィルム３１は、液晶層１０Ｃと共に、広帯域の（波長依存性の少ない）λ／４板として機能するようになっている。具体的には、液晶層１０Ｃがλ／４のリタデーションを有しているときに、位相差フィルム３１は、λ／２のリタデーションを有している。
【００２８】
前方散乱フィルム３２は、位相差フィルム３１と偏光板３３との間に配置されている。なお、前方散乱フィルム３２は、基板１７と位相差フィルム３１との間に配置されていてもよい。前方散乱フィルム３２は、前方散乱が相対的に大きく後方散乱が相対的に小さい光学特性を有している。前方散乱フィルム３２は、例えば、フィラーを含む樹脂層からなる。なお、前方散乱フィルム３２の代わりに、例えば、フィラーを含む粘着層が設けられていてもよい。粘着層の材料としては、例えば、糊が挙げられる。
【００２９】
偏光板３３は、所定の直線偏光成分を吸収し、それ以外の偏光成分を透過する機能を有している。従って、偏光板３３は、外部から入射してきた外光を直線偏光に変換する機能を有している。
【００３０】
次に、本実施の形態の液晶装置１の作用および効果について説明する。
【００３１】
本実施の形態の液晶装置１では、外光Ｌ１は、偏光板３３によって直線偏光に変換され、さらに位相差フィルム３１によって、所定の角度へほぼ直線偏光のまま回転されるとともに、前方散乱フィルム３２で散乱され、液晶表示パネル１０に入射する。
【００３２】
液晶表示パネル１０に入射した光のうち、電圧の印加されていない液晶層１０Ｃ（例えば液晶分子が下側パネル基板１０Ａと平行な方向に配向している領域）に入射した光は、液晶分子により円偏光へ変換されて画素電極１３および共通電極１５に達し、画素電極１３および共通電極１５で反射される。反射光は、逆の経路をたどって偏光板３３に到達したときに、偏光板３３の透過軸と直交する方向に透過軸を有している。そのため、反射光は偏光板３３で吸収される。従って、この場合には、画素１０Ｄは暗表示となる。
【００３３】
また、液晶表示パネル１０に入射した光のうち、電圧の印加されている液晶層１０Ｃ（例えば液晶分子が電界Ｅに沿って配向している領域）に入射した光は、液晶層１０Ｃでほぼ直線偏光に変換されて画素電極１３および共通電極１５に達する。これは、あらかじめそうなるように液晶層１０Ｃのリタデーションとツイスト角が設定されているためである。反射された光は、逆の経路をたどって、偏光板３３と平行な直線偏光へと変換されて偏光板３３を通過する。従って、この場合には、画素１０Ｄは明表示となる。
【００３４】
ところで、本実施の形態では、共通電極１５のスリット１５Ａと画素電極１３とが積層方向において互いに対向している。そのため、画素電極１３と共通電極１５との間に所定の電圧が印加されると、液晶層１０Ｃのうちスリット１５Ａの直上部分においては、横方向に電界が発生し、さらに、液晶層１０Ｃのうちスリット１５Ａの直上以外の部分（共通電極１５のうちスリット１５Ａ以外の部分の直上部分）においては、斜め方向に電界が発生する。その結果、ＦＦＳモードが実現され、広い視野角と、高い開口率が得られる。
【００３５】
また、本実施の形態では、画素電極１３および共通電極１５が反射電極となっている。これにより、スリット１５Ａを透過した光は画素電極１３で反射されるので、画素電極１３が反射電極ではない場合と比べて、白輝度を上げることができる。さらに、本実施の形態では、画素電極１３がトランジスタ１２のドレイン電極２５と同層に形成されている。これにより、画素電極１３をドレイン電極２５の上方に配置する際に必要となるコンタクトホールを省略することができる。その結果、コンタクトホールがなくなった分だけ、画素電極１３での反射量を増やすことができるので、白輝度を上げることができる。このように、画素電極１３および共通電極１５を反射電極にしたり、画素電極１３をドレイン電極２５と同層に形成したりすることにより、白輝度を上げることができる。その結果、コントラスト比も上げることができる。
【００３６】
ところで、液晶表示装置における位相差板（λ／４板）の構成方法として、λ／４板とλ／２板とを組み合わせることが知られている。例えば、横電界駆動液晶モードにおいて、液晶層上に位相差層（λ／２板）を設け、液晶層をλ／４とする方法が知られている。しかし、従来の方法では、位相差層として、光学的一軸性を有するＡプレートが使われていたので、黒表示の際に、正面方向の透過率が最も低くなるが、斜め方向に光漏れが生じていた。そのため、例えば、図４に示したように、０度〜４０度の範囲内において斜め方向のコントラスト比が急激に低下してしまうという問題があった。
【００３７】
一方、本実施の形態では、位相差フィルム３１が光学的二軸性を有している。これにより、黒表示の際に正面方向だけでなく斜め方向についても光漏れが少なくなる。その結果、斜め方向のコントラスト比を向上させることができる。
【００３８】
また、本実施の形態において、位相差フィルム３１に０以上０．５以下のＮｚ係数を持たせた場合には、液晶装置の法線と４０度以下の角度で交差する方向において、コントラスト比を２０以上にすることができる。例えば、Ｎｚ係数が０の位相差フィルム３１を用いた場合（図５）や、Ｎｚ係数が０．５の位相差フィルム３１を用いた場合（図６）に、０度〜４０度の範囲内において斜め方向のコントラスト比が２０以上になっていることがわかる。しかも、０度〜４０度の範囲内においてコントラスト比の急激な変化が生じていない。従って、位相差フィルム３１としてＮｚ係数が０以上０．５以下のものを用いることにより、良好な視野角特性を得ることができる。
【００３９】
また、本実施の形態では、位相差フィルム３１が、液晶層１０Ｃと共に、広帯域の（波長依存性の少ない）λ／４板として機能するようになっているので、広帯域でコントラストを向上させることができる。
【００４０】
＜２．変形例＞
次に、上記実施の形態の変形例について説明する。なお、以下に記載の各変形例を、互いに矛盾のない範囲で互いに組み合わせることはもちろん可能である。
【００４１】
［第１変形例］
上記実施の形態では、液晶表示パネル１０は、反射型となっていたが、反射表示部と透過表示部とを兼ね備えた半透過型であってもよい。ただし、その場合には、液晶表示パネル１０の背後にバックライトを設けると共に、位相差フィルム３１の代わりに、位相差フィルム３１と同一の光学的な構成を有する位相差層を上側パネル基板１０Ｂ内に設けることが好ましい。
【００４２】
［第２変形例］
また、上記実施の形態では、液晶表示パネル１０はＦＦＳモードとなっていたが、他の横電解駆動モード、例えばＩＰＳ（In-Plain Switching）モードとなっていてもよい。
【００４３】
［第３変形例］
また、上記実施の形態では、画素電極１３がドレイン電極２５と同層に形成されていたが、ドレイン電極２５よりも上の層に形成されていてもよい。
【００４４】
［第４変形例］
また、上記実施の形態では、画素電極１３が共通電極１５の下に形成されていたが、共通電極１５の上に形成されていてもよい。ただし、その場合には、画素電極１３に複数のスリットを設けるとともに、共通電極１５をスリットの無いベタ膜で構成することが好ましい。
【００４５】
［第５変形例］
また、上記実施の形態では、トランジスタ１２が３端子型となっていたが、２端子型となっていてもよい。なお、２端子型のトランジスタとしては、例えば、ＴＦＤ（Thin Film Diode）が挙げられる。
【００４６】
＜３．適用例＞
次に、上記実施の形態およびその変形例に係る液晶装置１の一適用例について説明する。図７は、本適用例に係る電子機器１００の概略構成の一例を表す斜視図である。電子機器１００は、携帯電話機であり、例えば、図７に示したように、本体部１１１と、本体部１１１に対して開閉可能に設けられた表示体部１１２とを備えている。本体部１１１は、操作ボタン１１５と、送話部１１６を有している。表示体部１１２は、表示装置１１３と、受話部１１７とを有している。表示装置１１３は、電話通信に関する各種表示を、表示装置１１３の表示画面１１４に表示するようになっている。電子機器１００は、表示装置１１３の動作を制御するための制御部（図示せず）を備えている。この制御部は、電子機器１００全体の制御を司る制御部の一部として、またはその制御部とは別に、本体部１１１または表示体部１１２の内部に設けられている。
【００４７】
表示装置１１３は、上記実施の形態およびその変形例に係る液晶装置１と同一の構成を備えている。これにより、ユーザは、表示装置１１３において、正面方向だけでなく斜め方向においても高いコントラスト比の画像を視認することができる。
【００４８】
なお、上記実施の形態およびその変形例に係る液晶装置１を適用可能な電子機器としては、以上に説明した携帯電話機等の他にも、パーソナルコンピュータ、液晶テレビ、ビューファインダ型またはモニタ直視型のビデオテープレコーダ、カーナビゲーション装置、ページャ、電子手帳、電卓、ワードプロセッサ、ワークステーション、テレビ電話機、ＰＯＳ端末器等が挙げられる。
【００４９】
また、例えば、本技術は以下のような構成を取ることができる。
（１）
液晶層と、
前記液晶層を介して入射してきた外光を反射する反射層と、
前記液晶層との関係で前記外光の入射する側に配置された位相差層および偏光板と
を備え、
前記位相差層は、光学的二軸性を有する
液晶装置。
（２）
前記位相差層は、０以上１未満のＮｚ係数を有する
（１）に記載の液晶装置。
（３）
前記位相差層は、０以上０．５以下のＮｚ係数を有する
（２）に記載の液晶装置。
（４）
前記位相差層および前記液晶層は、広帯域のλ／４板として機能する
（１）ないし（３）のいずれか１つに記載の液晶装置。
（５）
当該液晶装置は、前記液晶層および前記反射層を挟み込む第１基板および第２基板を備え、
前記第１基板は、前記液晶層との関係で前記外光の入射する側に配置され、
前記第２基板は、前記液晶層との関係で前記外光の入射する側とは反対側に配置され、
前記位相差層および前記偏光板は、前記第２基板との関係で前記外光の入射する側に配置されている
（１）ないし（４）のいずれか１つに記載の液晶装置。
（６）
前記第１基板は、スイッチング素子と、前記スイッチング素子に接続された画素電極とを画素ごとに有し、さらに、各画素に共通して形成されると共に各画素電極と対向する位置に複数のスリットが形成された共通電極を有し、
前記画素電極および前記共通電極が共に、前記反射層として機能する
（５）に記載の液晶装置。
（７）
前記スイッチング素子は、端子電極を有し、
前記画素電極は、前記端子電極と同層に形成されている
（６）に記載の液晶装置。
（８）
液晶装置を表示部として備え、
前記液晶装置は、
液晶層と、
前記液晶層を介して入射してきた外光を反射する反射層と、
前記液晶層との関係で前記外光の入射する側に配置された位相差層および偏光板と
を有し、
前記位相差層は、光学的二軸性を有する
電子機器。
【符号の説明】
【００５０】
１…液晶装置、１Ａ…映像表示面、１０…液晶表示パネル、１０Ａ…下側パネル基板、１０Ｂ…上側パネル基板、１０Ｃ…液晶層、１１，１７…基板、１２…トランジスタ、１３…画素電極、１５…共通電極、１５Ａ…スリット、１６，２０…配向膜、１８…フィルタ層、１８Ａ…カラーフィルタ層、１８Ｂ…遮光層、１９…オーバーコート層、２１ゲート電極、２２…ゲート絶縁膜、２３…チャネル、２４…ソース電極、２５…ドレイン電極、３０…積層フィルム、３１…位相差フィルム、３２…前方散乱フィルム、３３…偏光板、１００…電子機器、１１１…本体部、１１２…表示体部、１１３…表示装置、１１４…表示画面、１１５…操作ボタン、１１６…送話部、１１７…受話部、ＤＴＬ…データ線、Ｅ…電界、Ｌ１…外光、Ｌ２…画像光、ＷＳＬ…ゲート線。
【図１】
2012242678.tif 000003
【図２】
2012242678.tif 000004
【図３】
2012242678.tif 000005
【図４】
2012242678.tif 000006
【図５】
2012242678.tif 000007
【図６】
2012242678.tif 000008
【図７】
2012242678.tif 000009